(57)【要約】【課題】  従来の１次元スクロールデバイスとしてのタッチセンサは、入力数をそのままスクロールに反映しているだけであり、多様な入力ができない問題点があった。【解決手段】  電子機器の筐体表面にユーザが指でなぞる入力パッド９を設け、その裏面に３個の圧力スイッチ１０ａ〜１０ｃを配置した構成としている。そして、圧力スイッチ１０ａ〜１０ｃの開閉情報を入力して接触点が移動する方向、速度、移動量を解析することにより電子機器へ動作を指示するので、それらの組み合わせで多様な入力が可能になる。【選択図】          図２
2005323048.tif 000002
【特許請求の範囲】
【請求項１】
各種機能を実現する電子機器を収納する筐体の表面に設けられ、接触情報を検知して上記電子機器の動作を指示する入力デバイスであって、
入力パッドの裏面に配列され接触圧力を検出する３個の圧力スイッチ、
この３個の圧力スイッチの開閉情報を入力し、接触点が移動する方向、速度、移動量を解析する解析部、この解析部の解析結果に基づいて上記電子機器へ動作を指示する制御部を備えたことを特徴とする入力デバイス。
【発明の詳細な説明】
【技術分野】
【０００１】
本発明は、電子機器の筐体表面に設けられ、ユーザが指等でなぞって接触している状態を検知して電子機器へ動作を指示する入力デバイスに関する。
【背景技術】
【０００２】
電子機器としての携帯電話機は、電話機能に加えメール等各種機能が搭載され、操作が複雑になってきている。このため、入力デバイスもテンキー、機能キーのほかにタッチセンサを設けて操作性を向上させている。
【０００３】
従来、タッチセンサを筐体表面に設けた携帯電話機として、特許文献１に記載されたものがある。
【０００４】
【特許文献１】特開２００２−３３３９５１号公報
【発明の開示】
【発明が解決しようとする課題】
【０００５】
従来の１次元スクロールデバイスとしてのタッチセンサは、入力数をそのままスクロールに反映しているだけであり、多様な入力ができない問題点があった。
【課題を解決するための手段】
【０００６】
本発明における入力デバイスは、各種機能を実現する電子機器を収納する筐体の表面に設けられ、接触情報を検知して上記電子機器の動作を指示する入力デバイスであって、入力パッドの裏面に配列され接触圧力を検出する３個の圧力スイッチ、この３個の圧力スイッチの開閉情報を入力し、接触点が移動する方向、速度、移動量を解析する解析部、この解析部の解析結果に基づいて上記電子機器へ動作を指示する制御部から構成したものである。
【発明の効果】
【０００７】
本発明によれば、３個の圧力スイッチの開閉情報を入力し、接触点が移動する方向、速度、移動量を解析することにより電子機器へ動作を指示するので、多様な入力が可能になる。
【発明を実施するための最良の形態】
【０００８】
以下、本発明の実施の形態１について、図に基づいて説明する。
【０００９】
図１は本発明を携帯電話機に適用した実施の形態を示した主要ブロック図である。図において、１はキースイッチ及び本発明に係るコントロールパッドからなる操作部、２は文字画像を表示する表示部、３はプログラムを記憶するＲＯＭ及びデータを一時記憶するＲＡＭからなる記憶部、４は通信制御機能を有する無線部、５は上記操作部１のコントロールパッドから入力されるイベント、すなわちコントロールパッドをユーザが操作する情報を解析する解析部としてのイベント制御部、６はコントロールパッドの裏面に配置されるＬＥＤ（図示せず）の発光を制御するＬＥＤ制御部、７各部の制御を司る制御部、８はコントロールパッドを操作する操作パターン（ジェスチャ）を記憶しており、入力された操作と操作パターンとを比較してジェスチャを認識するジェスチャ認識部である。
【００１０】
図２は操作部１を構成する本発明に係るコントロールパッドを示す展開図であり、９は携帯電話機の筐体表面に設けられた入力パッドであり、ユーザがその表面をなぞることにより、裏面側に配置された圧力スイッチ１０ａ〜１０ｃがＯＮ−ＯＦＦされて所定パターンの入力信号を発生する。圧力スイッチに対応して配置されたＬＥＤ１１ａ〜１１ｃは圧力スイッチ１０ａ〜１０ｃのＯＮ−ＯＦＦ又はユーザが入力パッド９をなぞる操作に応じて発光するものであり、ユーザの操作をコントロールパッドが認識しているかを報知する手段として機能する。
【００１１】
次に、図３に基づいて動作について説明する。
【００１２】
入力パッド９が操作されると、イベント制御部５はユーザが入力パッド９をなぞる操作がジェスチャ認識部８に記憶した操作パターンを入力しようとしているモード（ジェスチャモード）か、否かを判定するＳＴ１。この判定は、イベント制御部５が制御部７に対してそのときの動作モードを確認することにより行われる。すなわち、携帯電話機には待ち受けモード、メニュー選択モード等、各種のモードがあるが、そのときの動作モードがジェスチャ認識部８の操作パターンに対応して動作するモードに登録されているか、否かによって判定する。ＳＴ１の判定によって、ジェスチャモードと判定されるとジェスチャ認識と判定（ＳＴ２）してイベント制御部５は、ユーザが入力パッド９をなぞる操作情報をジェスチャ認識部８へ送出する。
【００１３】
ジェスチャ認識部８は、イベント制御部５から入力した操作情報から操作内容（ジェスチャ）を解析・認識するＳＴ３。ジェスチャ認識部８で記憶されている操作パターンを認識できなかった場合、ＳＴ４に移行して認識ＮＧとしてイベント制御部５を介して制御部へ認識ＮＧ送出する。一方、ＳＴ３でジェスチャを認識すると、ＳＴ５に移行してジェスチャの識別結果をイベント制御部５を介して制御部へ送出する。
【００１４】
制御部７は、ジェスチャ認識部８から入力した認識ＮＧ又はジェスチャの識別結果を解析し（ＳＴ６）、認識ＮＧの場合は、表示部２に認識ＮＧを表示するとともに、ＬＥＤ制御部６に対して、例えば、ＬＥＤ１１ａ〜１１ｃを点滅表示させて、ユーザに認識ＮＧを報知するＳＴ７。また、ジェスチャ認識結果入力した場合は、それを解析して解析結果に基づいた動作を指令するとともに、動作に応じた画面表示を表示部２に表示し、さらに、ＬＥＤ制御部６により、例えば、ＬＥＤ１１ａ〜１１ｃを点灯表示させて、ユーザにジェスチャ認識して動作したことを報知する（ＳＴ７）。
【００１５】
一方、ＳＴ１でジェスチャモードではないと判定するとＳＴ７に移行し、イベント制御部５はコントロールパッドの操作を解析する。ここでは、メニュー表示をスクロールする場合を説明する。この解析は入力パッド９をなぞった場合の移動速度、移動量、移動方向を解析する。すなわち、図２において、ユーザが圧力スイッチを１１ａ−１１ｂ−１１ｃの順になぞったとすると、各圧力スイッチが順次開閉し、そのなぞった方向にメニューをスクロールさせる。そして、なぞる速度が速い場合は速くスクロールさせる。つまり、移動速度に応じてスクロールする速度をかえるＳＴ９。また、３つの圧力スイッチを１１ａ−１１ｂ−１１ｃの順になぞった場合は速くスクロールさせ、２つの圧力スイッチを１１ａ−１１ｂの順になぞった場合は遅くスクロールさせる。つまり、移動量に応じてスクロールする速度をかえるＳＴ９。このスクロールの表示は、イベント制御部５からの情報により、制御部７が表示部２を表示制御し、また、ＬＥＤ制御部により、スクロール速度に応じてＬＥＤ１１ａ〜１１ｃを順次表示させる。
【００１６】
なお、イベント制御部５は圧力スイッチが同時に２個、例えば１１ａと１１ｂがＯＮしている場合には、強く押されている一方の圧力スイッチが操作されているものと判断する。
【００１７】
このように、本発明の実施の形態１によれば、３個の圧力スイッチの開閉情報を入力し、ユーザがなぞった方向、速度、移動量の３つの情報を解析して動作を指示するので多様な入力が可能になる。
【図面の簡単な説明】
【００１８】
【図１】本発明の実施の形態１に係る全体構成を示す主要ブロック図である。
【図２】本発明の実施の形態１に係るコントロールパッドを示す展開図である。
【図３】本発明の実施の形態１に係る動作を説明するためのフローチャートである。
【符号の説明】
【００１９】
１  操作部    ２  表示部    ５  イベント制御部    ６  ＬＥＤ制御部    ７  制御部    ８  ジェスチャ認識部    ９  入力パッド    １０ａ〜１０ｃ  圧力スイッチ    １１ａ〜１１ｃ  ＬＥＤ。
【図１】
2005323048.tif 000003
【図２】
2005323048.tif 000004
【図３】
2005323048.tif 000005